(57)【要約】【課題】  強度を高めると共に小型化が可能な保護カバー及びそれを備える光ピックアップ装置を提供する。【解決手段】  一枚の金属板を折り曲げて形成される、光ディスクの情報記録面と対向する第１対向板４１と、第１弾性ワイヤ３４ａと対向し、基台３６に固定される第２対向板４２と、第２弾性ワイヤ３４ｂと対向し、基台３６に固定される第３対向板４３とを有し、第１対向板４１は、対物レンズ２８ａ，２８ｂが露出し、且つ、ホルダ３３が光ディスクの情報記録面側のフォーカス方向Ｆ（＋側）へ移動することを規制する第１開口部４１ａを有し、第２対向板４２は、第１弾性ワイヤ３４ａの位置がホルダ３３を支持する位置に近づくにつれて光ディスクの外周側に向かう保護カバー４０並びにそれを備える光ピックアップ装置２０を構成する。【選択図】  図２
2014013630.tif 000002
【特許請求の範囲】
【請求項１】
基台と、
対物レンズと、
前記対物レンズを保持するホルダと、
前記ホルダが前記基台から遊離した状態においてフォーカス方向及び／又はトラッキング方向に変位するように、光ディスクの内周側に位置する前記ホルダの一方の側面側部を支持し、前記基台に対して略平行に延在する第１弾性ワイヤと、
前記ホルダが前記基台から遊離した状態において前記フォーカス方向及び／又は前記トラッキング方向に変位するように、前記光ディスクの外周側に位置する前記ホルダの他方の側面側部を支持し、前記基台に対して略平行に延在する第２弾性ワイヤと、
を含む光ピックアップ装置用の保護カバーであって、
一枚の金属板を折り曲げて形成される、
前記光ディスクの情報記録面と対向する第１対向板と、
前記第１弾性ワイヤと対向し、前記基台に固定される第２対向板と、
前記第２弾性ワイヤと対向し、前記基台に固定される第３対向板と、を有し、
前記第１対向板は、前記対物レンズが露出し、且つ、前記ホルダが前記光ディスクの情報記録面側の前記フォーカス方向へ移動することを規制する第１開口部を有し、
前記第２対向板は、前記第１弾性ワイヤの位置が前記ホルダを支持する位置に近づくにつれて前記光ディスクの前記外周側に向かう
ことを特徴とする保護カバー。
【請求項２】
前記第２対向板は、前記光ディスクの内周側に位置する前記第１対向板の一方の辺を折り曲げて形成され、
前記第３対向板は、前記光ディスクの外周側に位置する前記第１対向板の他方の辺を折り曲げて形成される
ことを特徴とする請求項１に記載の保護カバー。
【請求項３】
前記第２対向板は、前記第１対向板の一方の辺を直線状に折り曲げて形成される
ことを特徴とする請求項２に記載の保護カバー。
【請求項４】
前記第２対向板は、前記第１弾性ワイヤが露出する第２開口部を有する
ことを特徴とする請求項１乃至３に何れかに記載の保護カバー。
【請求項５】
前記第１開口部及び前記第２開口部は、連続して形成される
ことを特徴とする請求項４に記載の保護カバー。
【請求項６】
前記第１開口部は、前記第１開口部の内側に向かって突片が突出する形状を呈し、
前記突片が突出する位置で、前記ホルダが前記光ディスクの前記情報記録面側の前記フォーカス方向へ移動することを規制する
ことを特徴とする請求項１に記載の保護カバー。
【請求項７】
基台と、
対物レンズと、
前記対物レンズを保持するホルダと、
前記ホルダが前記基台から遊離した状態においてフォーカス方向及び／又はトラッキング方向に変位するように、光ディスクの内周側に位置する前記ホルダの一方の側面側部を支持し、前記基台に対して略平行に延在する第１弾性ワイヤと、
前記ホルダが前記基台から遊離した状態において前記フォーカス方向及び／又は前記トラッキング方向に変位するように、前記光ディスクの外周側に位置する前記ホルダの他方の側面側部を支持し、前記基台に対して略平行に延在する第２弾性ワイヤと、
一枚の金属板を折り曲げて形成される保護カバーと、を備え、
前記保護カバーは、
前記光ディスクの情報記録面と対向する第１対向板と、
前記第１弾性ワイヤと対向し、前記基台に固定される第２対向板と、
前記第２弾性ワイヤと対向し、前記基台に固定される第３対向板と、を有し、
前記第１対向板は、前記対物レンズが露出し、且つ、前記ホルダが前記光ディスクの情報記録面側の前記フォーカス方向へ移動することを規制する第１開口部を有し、
前記第２対向板は、前記第２弾性ワイヤの位置が前記ホルダを支持する位置に近づくにつれて前記光ディスクの前記外周側に向かう
ことを特徴とする光ピックアップ装置。
【請求項８】
第１弾性ワイヤと、
第２弾性ワイヤと、
を含む光ピックアップ装置用の保護カバーであって、
光ディスクの情報記録面と対向する第１対向板と、
前記第１弾性ワイヤと対向する第２対向板と、
前記第２弾性ワイヤと対向する第３対向板と、を有し、
前記第１対向板が略平面板状に平面視されたときに、前記第３対向板に対して前記第２対向板が傾けられた
ことを特徴とする保護カバー。
【請求項９】
請求項８に記載の保護カバーを備える
ことを特徴とする光ピックアップ装置。
【発明の詳細な説明】
【技術分野】
【０００１】
本発明は、保護カバー、光ピックアップ装置に関する。
【背景技術】
【０００２】
例えば、図６に示すように、光ピックアップ装置１に装着される保護カバー１０が知られている。光ピックアップ装置１は、対物レンズ３を保持するホルダ４が基台２から遊離した状態で弾性ワイヤ５ａ、５ｂによって支持されている。具体的には、弾性ワイヤ５ａは、基板６を支点として、光ディスク（不図示）の内周側に位置するホルダ４の側面を支持している。また、弾性ワイヤ５ｂは、基板６を支点として、光ディスクの外周側に位置するホルダ４の側面を支持している。そして、ホルダ４は、基板６及び弾性ワイヤ５ａ、５ｂを介して入力される信号に応じて所定距離フォーカス方向Ｆ（第１方向Ｆ）又はトラッキング方向Ｔｒ（第２方向Ｔｒ）に変位する。尚、光ピックアップ装置１の光ディスクの内周側には、光ディスクを回転させるためのスピンドルモータ（不図示）が配置されている。このため、基台２のスピンドルモータに対向する側は、スピンドルモータを回避するように円弧状のくぼみが形成されている。
【０００３】
保護カバー１０は、一枚の金属板を折り曲げて形成され、基台２に固定される。また、保護カバー１０は、基台２に固定された際に、光ディスクに対向する上板１１と、弾性ワイヤ５ａ、５ｂに夫々対向する側板１２ａ、１２ｂとを備えている。上板１１には、対物レンズ３を露出させると共に、ホルダ４が光ディスク側のフォーカス方向Ｆへ所定距離を超えて移動することを規制する開口部１１ａが形成されている。開口部１１ａは、開口部１１ａの内側に向かって突片１１ｂが突出する形状を呈している。この突片１１ｂがホルダ４の上面に接触することで、前述したようにホルダ４の移動が規制されている。この保護カバー１０のスピンドルモータ側の側板１２ａには、基台２のくぼみと同様に湾曲する湾曲面ｒが形成されている（例えば特許文献１を参照)。
【先行技術文献】
【特許文献】
【０００４】
【特許文献１】特開２００８−９０９２０号公報（第１頁、第３，５図）
【発明の概要】
【発明が解決しようとする課題】
【０００５】
前述した保護カバー１０では、一枚の金属板を折り曲げて側板１２ａに湾曲面ｒを形成するため、上板１１と側板１２ａとの間に切欠１３を設ける必要がある。しかしながら、保護カバー１０の上板１１は、切欠１３が設けられることで、光ディスク側のフォーカス方向Ｆにホルダ４が移動することを規制するのに十分な強度を確保できない虞がある。さらに、例えば保護カバー１０を備える光ピックアップ装置１に落下衝撃が加えられて、保護カバー１０が変形してしまった場合、ホルダ４がフォーカス方向Ｆ及びトラッキング方向Ｔｒに正確に移動することが困難となる虞がある。
【０００６】
また、保護カバー１０は、一枚の金属板を折り曲げて湾曲面ｒを形成する加工上の理由から、トラッキング方向Ｔｒにおける基板６側の長さＬ１とホルダ４側の長さＬ２とを同一とする必要がある。このため、保護カバー１０には、長さＬ２を確保するためだけに例えば第３方向ＴｎにＬ３で示される長さが余分に必要となる。これによって、保護カバー１０のホルダ４側には無駄なスペースが形成されるため、光ピックアップ装置１が大型化してしまう虞があった。
【課題を解決するための手段】
【０００７】
前述した課題を解決する主たる発明は、基台と、対物レンズと、前記対物レンズを保持するホルダと、前記ホルダが前記基台から遊離した状態においてフォーカス方向及び／又はトラッキング方向に変位するように、光ディスクの内周側に位置する前記ホルダの一方の側面側部を支持し、前記基台に対して略平行に延在する第１弾性ワイヤと、前記ホルダが前記基台から遊離した状態において前記フォーカス方向及び／又は前記トラッキング方向に変位するように、前記光ディスクの外周側に位置する前記ホルダの他方の側面側部を支持し、前記基台に対して略平行に延在する第２弾性ワイヤとを含む光ピックアップ装置用の保護カバーであって、一枚の金属板を折り曲げて形成される、前記光ディスクの情報記録面と対向する第１対向板と、前記第１弾性ワイヤと対向し、前記基台に固定される第２対向板と、前記第２弾性ワイヤと対向し、前記基台に固定される第３対向板とを有し、前記第１対向板は、前記対物レンズが露出し、且つ、前記ホルダが前記光ディスクの情報記録面側の前記フォーカス方向へ移動することを規制する第１開口部を有し、前記第２対向板は、前記第１弾性ワイヤの位置が前記ホルダを支持する位置に近づくにつれて前記光ディスクの前記外周側に向かうことを特徴とする保護カバーである。
【０００８】
また、本発明は、基台と、対物レンズと、前記対物レンズを保持するホルダと、前記ホルダが前記基台から遊離した状態においてフォーカス方向及び／又はトラッキング方向に変位するように、光ディスクの内周側に位置する前記ホルダの一方の側面側部を支持し、前記基台に対して略平行に延在する第１弾性ワイヤと、前記ホルダが前記基台から遊離した状態において前記フォーカス方向及び／又は前記トラッキング方向に変位するように、前記光ディスクの外周側に位置する前記ホルダの他方の側面側部を支持し、前記基台に対して略平行に延在する第２弾性ワイヤと、一枚の金属板を折り曲げて形成される保護カバーと、を備え、前記保護カバーは、前記光ディスクの情報記録面と対向する第１対向板と、前記第１弾性ワイヤと対向し、前記基台に固定される第２対向板と、前記第２弾性ワイヤと対向し、前記基台に固定される第３対向板と、を有し、前記第１対向板は、前記対物レンズが露出し、且つ、前記ホルダが前記光ディスクの情報記録面側の前記フォーカス方向へ移動することを規制する第１開口部を有し、前記第２対向板は、前記第２弾性ワイヤの位置が前記ホルダを支持する位置に近づくにつれて前記光ディスクの前記外周側に向かうことを特徴とする光ピックアップ装置である。
【０００９】
また、本発明は、第１弾性ワイヤと、第２弾性ワイヤと、を含む光ピックアップ装置用の保護カバーであって、光ディスクの情報記録面と対向する第１対向板と、前記第１弾性ワイヤと対向する第２対向板と、前記第２弾性ワイヤと対向する第３対向板と、を有し、前記第１対向板が略平面板状に平面視されたときに、前記第３対向板に対して前記第２対向板が傾けられたことを特徴とする保護カバーである。
【００１０】
また、本発明は、前記保護カバーを備えることを特徴とする光ピックアップ装置である。
【００１１】
本発明の他の特徴については、添付図面及び本明細書の記載により明らかとなる。
【発明の効果】
【００１２】
本発明によれば、強度を高めると共に小型化が可能な保護カバー及びそれを備える光ピックアップ装置を提供できる。
【図面の簡単な説明】
【００１３】
【図１】（Ａ）は、本実施形態に係る保護カバーの斜視図であり、（Ｂ）は、（Ａ）に示す保護カバーのその他の斜視図である。
【図２】図１に示す保護カバー及び図１に示す保護カバーが装着される前の光ピックアップ装置の斜視図である。
【図３】図１に示す保護カバーが装着された図２に示す光ピックアップ装置の斜視図である。
【図４】図２に示す光ピックアップ装置の光路を説明する図である。
【図５】図１に示す保護カバーと図６に示す保護カバーを比較する平面図である。
【図６】保護カバーと、保護カバーが装着される前の光ピックアップ装置との斜視図である。
【発明を実施するための形態】
【００１４】
本明細書及び添付図面の記載により、少なくとも以下の事項が明らかとなる。
【００１５】
===光ピックアップ装置===
<<<光学系について>>>
本実施形態に係る光ピックアップ装置は、ＣＤ（Compact Disc）、ＤＶＤ（Digital Versatile Disc）及び／又はＢｌｕ−ｒａｙ（Blu-ray Disc）（登録商標）等の単層又は複層の情報記録面（信号層）等を有する光ディスク（媒体）にレーザ光を照射することにより、情報の記録及び／又は再生及び／又は消去を行う。そこで、図４を参照しつつ、光ピックアップ装置２０の第１レーザ光源２１ａ、第２レーザ光源２１ｂ、第３レーザ光源２１ｃから夫々出射されるレーザ光の光学系の一例について説明する。
【００１６】
第１レーザ光源２１ａは、不図示のレーザドライバから制御電圧が印加されることで、ＣＤの情報記録面に照射するための赤外波長帯（７６５ｎｍ〜８４０ｎｍ）のレーザ光を出射する。第２レーザ光源２１ｂは、レーザドライバから制御電圧が印加されることで、ＤＶＤの情報記録面に照射するための赤色波長帯（６３０ｎｍ〜６８５ｎｍ）のレーザ光を出射する。第３レーザ光源２１ｃは、レーザドライバから制御電圧が印加されることで、Ｂｌｕ−ｒａｙの情報記録面に照射するための青紫色波長帯（４００ｎｍ〜４５０ｎｍ）のレーザ光を出射する。つまり、ターンテーブル（不図示）にＣＤ規格の第１光ディスク（不図示）が装着された場合、第１レーザ光源２１ａから赤外波長帯のレーザ光Ｌ１ａが出射される。ターンテーブルにＤＶＤ規格の第２光ディスク（不図示）が装着された場合、第２レーザ光源２１ｂから赤色波長帯のレーザ光Ｌ１ｂが出射される。ターンテーブルにＢｌｕ−ｒａｙ規格の第３光ディスク（不図示）が装着された場合、第３レーザ光源２１ｃから青紫色波長帯のレーザ光Ｌ１ｃが出射される。光ピックアップ装置は、前記各種の規格の光ディスクのうちの少なくとも一種の規格の光ディスクに対応する。
【００１７】
<<<第１光ディスク用の光学系について>>>
第１レーザ光源２１ａから第１光ディスクまでのレーザ光Ｌ１ａの光路（往路）について説明する。第１レーザ光源２１ａから出射されたレーザ光Ｌ１ａは、順にカップリングレンズ２２、第１回折格子２３ａ、ダイクロイックプリズム２４（偏光部材）、平板ビームスプリッタ２５（偏光部材）、固定型／可動型第１コリメータレンズ２６ａ、第１立上ミラー２７ａ、第１対物レンズ２８ａを介した後に第１光ディスクの情報記録面に照射される。
【００１８】
第１レーザ光源２１ａからのレーザ光Ｌ１ａは拡大光／拡散光であり、カップリングレンズ２２によって広がり角が変換される。カップリングレンズ２２で広がり角が変換されたレーザ光Ｌ１ａは、第１回折格子２３ａによって０次光と±１次回折光に分光される。第１回折格子２３ａで分光されたレーザ光Ｌ１ａは、ダイクロイックプリズム２４によって平板ビームスプリッタ２５に向けて反射される。平板ビームスプリッタ２５に入射されたレーザ光Ｌ１ａは第１コリメータレンズ２６ａに向けて反射され、第１コリメータレンズ２６ａによって略平行光に変換される。第１コリメータレンズ２６ａで略平行光に変換されたレーザ光Ｌ１ａは、第１立上ミラー２７ａによって第１対物レンズ２８ａに向けて反射される。第１対物レンズ２８ａに入射されたレーザ光Ｌ１ａは、第１光ディスクの情報記録面に集光される。
【００１９】
第１光ディスクの情報記録面から反射されたレーザ光Ｌ２ａの光路（復路）について説明する。レーザ光Ｌ２ａは、順に第１対物レンズ２８ａ、第１立上ミラー２７ａ、第１コリメータレンズ２６ａ、平板ビームスプリッタ２５、第１センサレンズ２９ａ（第１非点収差素子）を介した後に第１光検出器３０ａに受光される。
【００２０】
第１光ディスクからのレーザ光Ｌ２ａは、第１対物レンズ２８ａによって略平行光に変換される。第１対物レンズ２８ａで略平行光に変換されたレーザ光Ｌ２ａは、第１立上ミラー２７ａによって第１コリメータレンズ２６ａに向けて反射され、第１コリメータレンズ２６ａによって収束光に変換される。第１コリメータレンズ２６ａで収束光に変換されたレーザ光Ｌ２ａは、平板ビームスプリッタ２５によって第１センサレンズ２９ａに向けて透過される。第１センサレンズ２９ａに入射されたレーザ光Ｌ２ａは、例えば差動非点収差法に基づくフォーカシング制御を行うべく非点収差が付与された後、第１光検出器３０ａに受光される。
【００２１】
尚、レーザ光Ｌ２ａを受光した第１光検出器３０ａは、レーザ光Ｌ２ａの０次光の光量に応じて光電変換した電気信号を生成して不図示の処理回路に出力する。この結果、レーザ光Ｌ２ａの０次光に応じた電気信号に基づいて、第１光ディスクの情報記録面からの情報再生が行われる。また、第１光検出器３０ａは、レーザ光Ｌ２ａの±１次回折光の光量に応じて光電変換した電気信号を生成し、処理回路に出力する。この結果、レーザ光Ｌ２ａの０次光と±１次回折光とに応じた電気信号に基づいて、フォーカスエラー信号やトラッキングエラー信号等が生成される。これらの信号に基づいて、後述するように光ピックアップ装置２０のホルダ３３がフォーカス方向Ｆ（第１方向Ｆ）やトラッキング方向Ｔｒ（第２方向Ｔｒ）等に変位する。
【００２２】
<<<第２光ディスク用の光学系について>>>
第２レーザ光源２１ｂから第２光ディスクまでのレーザ光Ｌ１ｂの光路（往路）について説明する。第１レーザ光源２１ｂから出射されたレーザ光Ｌ１ｂは、順に第２回折格子２３ｂ、ダイクロイックプリズム２４、平板ビームスプリッタ２５、第１コリメータレンズ２６ａ、第１立上ミラー２７ａ、第１対物レンズ２８ａを介した後に第２光ディスクの情報記録面に照射される。
【００２３】
第２レーザ光源２１ｂからのレーザ光Ｌ１ｂは、第２回折格子２３ｂによって０次光及び±１次回折光に分光される。第２回折格子２３ｂで分光されたレーザ光Ｌ１ｂは、ダイクロイックプリズム２４によって平板ビームスプリッタ２５に向けて透過される。平板ビームスプリッタ２５に入射されたレーザ光Ｌ１ｂは、レーザ光Ｌ１ａと同様に、第１コリメータレンズ２６ａに向けて反射され、第１コリメータレンズ２６ａで略平行光に変換された後、第１立上げミラー２７ａによって第１対物レンズ２８ａに向けて反射される。第１対物レンズ２８ａに入射されたレーザ光Ｌ１ｂは、第２光ディスクの情報記録面に集光される。
【００２４】
第２光ディスクの情報記録面から反射されたレーザ光Ｌ２ｂの復路は、レーザ光Ｌ２ａの復路と同様に、順に第１対物レンズ２８ａ、第１立上ミラー２７ａ、第１コリメータレンズ２６ａ、平板ビームスプリッタ２５、第１センサレンズ２９ａを介した後に第１光検出器３０ａに受光される。尚、レーザ光Ｌ２ｂを受光した第１光検出器３０ａは、レーザ光Ｌ２ｂの０次光の光量に応じて光電変換した電気信号を生成して処理回路に出力する。この結果、レーザ光Ｌ２ｂの０次光に応じた電気信号に基づいて、第２光ディスクの情報記録面からの情報再生が行われる。また、第１光検出器３０ａは、レーザ光Ｌ２ｂの±１次回折光の光量に応じて光電変換した電気信号を生成し、処理回路に出力する。この結果、レーザ光Ｌ２ｂの０次光と±１次回折光とに応じた電気信号に基づいて、フォーカスエラー信号やトラッキングエラー信号等が生成される。
【００２５】
図４に示すように、平板ビームスプリッタ２５、第１コリメータレンズ２６ａ、第１立上ミラー２７ａ、第１対物レンズ２８ａ、第１センサレンズ２９ａ、第１光検出器３０ａは、赤外波長帯のレーザ光Ｌ１ａ及び赤色波長帯のレーザ光Ｌ１ｂの二種類のレーザ光Ｌ１ａ、Ｌ１ｂに対応している。
【００２６】
<<<第３光ディスク用の光学系について>>>
第３レーザ光源２１ｃから第３光ディスクまでのレーザ光Ｌ１ｃの光路（往路）について説明する。第３レーザ光源２１ｃから出射されたレーザ光Ｌ１ｃは、順に第３回折格子２３ｃ、ビームスプリッタ３１（偏光部材）、固定型／可動型第２コリメータレンズ２６ｂ、液晶収差補正素子３２（補正素子）、第２立上ミラー２７ｂ、第２対物レンズ２８ｂを介した後に第３光ディスクの情報記録面に照射される。
【００２７】
第３レーザ光源２１ｃからのレーザ光Ｌ１ｃは、第３回折格子２３ｃによって０次光及び±１次回折光に分光される。第３回折格子２３ｃで分光されたレーザ光Ｌ１ｃは、ビームスプリッタ３１によって、第２コリメータレンズ２６ｂに向けて透過され、第２コリメータレンズ２６ｂによって略平行光に変換される。第２コリメータレンズ２６ｂで略平行光に変換されたレーザ光Ｌ１ｃは、液晶収差補正素子３２によって、コマ収差が補正される。尚、コマ収差とは、レーザ光Ｌ１ｃの光軸に対する第３光ディスクの傾きにより発生する収差である。液晶収差補正素子３２でコマ収差が補正されたレーザ光Ｌ１ｃは、第２立上ミラー２７ｂによって第２対物レンズ２８ｂに向けて反射される。第２対物レンズ２８ｂに入射されたレーザ光Ｌ１ｃは、第３光ディスクの情報記録面に集光される。
【００２８】
第３光ディスクの情報記録面から反射されたレーザ光Ｌ２ｃの光路（復路）について説明する。レーザ光Ｌ２ｃは、順に第２対物レンズ２８ｂ、第２立上ミラー２７ｂ、液晶収差補正素子３２、第２コリメータレンズ２６ｂ、ビームスプリッタ３１、第２センサレンズ２９ｂ（第２非点収差素子）を介した後に第２光検出器３０ｂに受光される。
【００２９】
第３光ディスクからのレーザ光Ｌ２ｃは、第２対物レンズ２８ｂによって略平行光に変換される。第２対物レンズ２８ｂで略平行光に変換されたレーザ光Ｌ２ｃは、第２立上ミラー２７ｂによって液晶収差補正素子３２に向けて反射される。液晶収差補正素子３２に入射されたレーザ光Ｌ２ｃは、第２コリメータレンズ２６ｂに向けて透過され、第２コリメータレンズ２６ｂによって収束光に変換される。第２コリメータレンズ２６ｂで収束光に変換されたレーザ光Ｌ２ｃは、ビームスプリッタ３１によって第２センサレンズ２９ｂに向けて反射される。第２センサレンズ２９ｂに入射されたレーザ光Ｌ２ｃは、非点収差が付与されて、第２光検出器３０ｂに受光される。
【００３０】
尚、レーザ光Ｌ２ｃを受光した第２光検出器３０ｂは、レーザ光Ｌ２ｃの０次光の光量に応じて光電変換した電気信号を生成して処理回路に出力する。この結果、レーザ光Ｌ２ｃの０次光に応じた電気信号に基づいて、第３光ディスクの情報記録面からの情報再生が行われる。また、第２光検出器３０ｂは、レーザ光Ｌ２ｃの±１次回折光の光量に応じて光電変換した電気信号を生成して処理回路に出力する。この結果、レーザ光Ｌ２ｃの０次光と±１次回折光とに応じた電気信号に基づいて、フォーカスエラー信号やトラッキングエラー信号等が生成される。
【００３１】
<<<全体構成について>>>
図２及び図３を参照しつつ、光ピックアップ装置２０の全体構成について説明する。尚、以下、第１乃至第３光ディスクを光ディスクと総称し、レーザ光Ｌ１ａ乃至Ｌ１ｃ及びレーザ光Ｌ２ａ乃至Ｌ２ｃをレーザ光と総称する。
【００３２】
また、光ピックアップ装置２０並びに光ピックアップ装置２０用の保護カバー４０において、フォーカス方向Ｆ（第１方向Ｆ）は、例えば第１対物レンズ２８ａ及び／又は第２対物レンズ２８ｂ等の対物レンズにおいてレーザ光が透過する光軸方向とされる第１方向Ｆとされている。また、トラッキング方向Ｔｒ（第２方向Ｔｒ）は、例えばフォーカス方向Ｆとされる第１方向Ｆに直交し、光ディスクの半径方向とされる第２方向Ｔｒとされている。また、第２方向Ｔｒは、光ディスクの内周側から外周側にかけた光ピックアップ装置２０の移動方向、及び／又は、光ディスクの外周側から内周側にかけた光ピックアップ装置２０の移動方向とされている。また、タンジェンシャル方向Ｔｎは、例えばフォーカス方向Ｆとされる第１方向Ｆに直交すると共に、光ディスクの半径方向とされる第２方向Ｔｒに直交する光ディスクの略螺旋状／円周状方向とされている。また、第３方向Ｔｎは、例えばフォーカス方向Ｆとされる第１方向Ｆに直交すると共に、光ディスクの半径方向及び／又は光ピックアップ装置２０の移動方向とされる第２方向Ｔｒに直交する方向とされている。ここでは、便宜上、タンジェンシャル方向Ｔｎ、第３方向Ｔｎ等の符号を共通して用いているが、このような定義は、例えばこの明細書における便宜上の定義とされ、このような定義に限られるものではない。
【００３３】
また、光ディスクの近傍に位置し、側面視された光ピックアップ装置２０並びに光ピックアップ装置２０用の保護カバー４０を基準としたときに、光ディスクに対し、光ピックアップ装置２０の第１対物レンズ２８ａ及び／又は第２対物レンズ２８ｂ等の対物レンズが近づいてゆく側を第１方向Ｆの＋側とし、対物レンズが遠ざかってゆく側を第１方向Ｆの−側とする。また、光ディスクの近傍に位置し、平面視された光ピックアップ装置２０並びに光ピックアップ装置２０用の保護カバー４０を基準としたときに、光ディスクの内周側を第２方向Ｔｒの＋側とし、光ディスクの外周側を第２方向Ｔｒの−側とする。また、光ディスクの近傍に位置し、平面視された光ピックアップ装置２０並びに光ピックアップ装置２０用の保護カバー４０を基準としたときに、保護カバー４０の互いに向かい合う一方の側板４２及び他方の側板４３の幅広側を第３方向Ｔｎの＋側とし、保護カバー４０の互いに向かい合う一方の側板４２及び他方の側板４３の幅狭側を第３方向Ｔｎの−側とする。
【００３４】
尚、この発明における各方向並びに各方向の±側は、光ピックアップ装置２０並びに光ピックアップ装置２０用の保護カバー４０を基準として光ディスクを眺めたときの各方向並びに各方向の±側とされている。この明細書における各方向並びに各方向の±側等の定義は、光ピックアップ装置２０並びに光ピックアップ装置２０用の保護カバー４０を説明するための便宜上の定義とされている。
【００３５】
光ピックアップ装置２０は、少なくとも一つの対物レンズ２８ａ及び／又は２８ｂを備えている。また、光ピックアップ装置２０は、少なくとも第１弾性ワイヤ３４ａ並びに第２弾性ワイヤ３４ｂを備えている。具体的に説明すると、光ピックアップ装置２０は、第１対物レンズ２８ａと、第２対物レンズ２８ｂと、ホルダ３３と、第１弾性ワイヤ３４ａと、第２弾性ワイヤ３４ｂと、基板３５と、基台３６と、マグネット３７と、保護カバー４０とを備えている。
【００３６】
基台３６は、ターンテーブルに装着された光ディスクの情報記録面に対向し、光ディスクの半径方向つまりトラッキング方向Ｔｒに移動するように不図示のレールに支持されている。尚、基台３６のトラッキング方向Ｔｒの＋側（光ディスクの内周側）にはターンテーブルを回転する不図示のドライブ用のスピンドルモータが配置されている。
【００３７】
ホルダ３３は、光ディスクの情報記録面と略平行となるように第１対物レンズ２８ａ及び第２対物レンズ２８ｂを保持している。また、ホルダ３３は、例えば光ディスクの半径方向ここではトラッキング方向Ｔｒに略沿って並ぶように第１対物レンズ２８ａ及び第２対物レンズ２８ｂを保持している。また、ホルダ３３の第３方向Ｔｎの両端の側面夫々には、ホルダ３３をフォーカス方向Ｆ等に変位させるためのフォーカシングコイルや、ホルダ３３をトラッキング方向Ｔｒ等に変位させるためのトラッキングコイルが巻回されている。
【００３８】
マグネット３７は、ホルダ３３の第３方向Ｔｎの両端側のフォーカシングコイル及びトラッキングコイルに夫々対向する一対からなり、基台３６の光ディスクの情報記録面との対向面（以下単に対向面と称する）上に固定されている。マグネット３７は、少なくとも二枚等が基台３６の上に設置され、例えば偶数枚のマグネット３７が基台３６の上に装備されている。
【００３９】
第１弾性ワイヤ３４ａ及び第２弾性ワイヤ３４ｂは、ホルダ３３が基台３６の対向面から遊離した状態でフォーカス方向Ｆ及び／又はトラッキング方向Ｔｒ等に変位するように、ホルダ３３を支持している。具体的には、第１弾性ワイヤ３４ａは、基台３６の対向面並びに保護カバー４０の一方の側板４２（第２対向板）の対向面に対して略平行に延在し、基板３５を支点としてトラッキング方向Ｔｒの＋側に位置するホルダ３３の一方（第１）の側面側部を支持している。尚、第１弾性ワイヤ３４ａは、ホルダ３３がトラッキング方向Ｔｒの＋側に略沿って大きく移動したときに例えばホルダ３３の一方の側面部との接触面積を減らしたり無くしたりしてトラッキング方向Ｔｒの略＋側にホルダ３３を滑らかに動かすため、ホルダ３３側から基板３５側の位置に近づくにつれてホルダ３３の一方の側面部から遠ざかっている。
【００４０】
第２弾性ワイヤ３４ｂは、基台３６の対向面並びに保護カバー４０の他方の側板４３（第３対向板）の対向面に対して略平行に延在し、基板３５を支点としてトラッキング方向Ｔｒの−側（光ディスクの外周側）に位置するホルダ３３の他方（第２）の側面側部を支持している。尚、第２弾性ワイヤ３４ｂは、ホルダ３３がトラッキング方向Ｔｒの−側に略沿って大きく移動したときに例えばホルダ３３の他方の側面部との接触面積を減らしたり無くしたりしてトラッキング方向Ｔｒの略−側にホルダ３３を滑らかに動かすため、ホルダ３３側から基板３５側の位置に近づくにつれてホルダ３３の他方の側面部から遠ざかっている。
【００４１】
この第１弾性ワイヤ３４ａ及び第２弾性ワイヤ３４ｂは、ホルダ３３を駆動するための駆動回路（不図示）と、フォーカシングコイル及びトラッキングコイルとを基板３５を介して電気的に接続している。駆動回路からフォーカスエラー信号に応じた電流がフォーカシングコイルに供給されると、マグネット３７の磁界との関係に基づいて、ホルダ３３がフォーカス方向Ｆに変位する（フォーカス制御）。また、駆動回路からトラッキングエラー信号に応じた電流がトラッキングコイルに供給されると、マグネット３７の磁界との関係に基づいて、ホルダ３３がトラッキング方向Ｔｒに変位する（トラッキング制御）。
【００４２】
略平板状の基板３５は、略平板状の基台３６に対し略直交する方向に略沿って光ピックアップ装置２０に備えられ、例えば基台３６の対向面上に固定されて、第１弾性ワイヤ３４ａ及び第２弾性ワイヤ３４ｂと駆動回路とを電気的に接続している。
【００４３】
また、保護カバー４０は、一枚の金属板を打ち抜いたのちに折り曲げて形成され、基台３６に固定されている。
【００４４】
図２及び図３に示すように、第１対物レンズ２８ａと、第２対物レンズ２８ｂと、ホルダ３３と、第１弾性ワイヤ３４ａと、第２弾性ワイヤ３４ｂと、フォーカシングコイルと、トラッキングコイルとは、光ピックアップ装置２０のアクチュエータの可動部を構成している。
【００４５】
＜保護カバーについて＞
以下、更に図１を参照して、光ピックアップ装置用の保護カバー４０の詳細について説明する。一枚の金属板（金属素材）に、打ち抜き、折り曲げ加工等のプレス成形加工等を行って、保護カバー４０を形成させる。保護カバー４０は、一枚の金属板を打ち抜いたのちに折り曲げて形成され、上板４１（第１対向板）と、側板４２（第２対向板）と、側板４３（第３対向板）とを備えている。
【００４６】
上板４１は、光ディスクの情報記録面に対向し、第１対物レンズ２８ａ及び第２対物レンズ２８ｂを露出する第１開口部４１ａを有している。第１開口部４１ａは、ホルダ３３がフォーカス方向Ｆの＋側（光ディスクの情報記録面側のフォーカス方向）に移動することを規制し、第１開口部４１ａの内側に向かって突片４１ｂ（ストッパ）が突出する形状を呈している。具体的に説明すると、第１開口部４１ａは、上板４１と同一平面上において、第１開口部４１ａの内側に向けて例えば互いに向き合うように各一対（計四つ）の突片４１ｂが第１開口部４１ａの四隅から突出する形状とされている。突片４１ｂは、例えば、ホルダ３３の光ディスクの情報記録面と対向する面（上面）の略四隅に接触する。つまり、第１開口部４１ａは、突片４１ｂが突出する位置で、ホルダ３３がフォーカス方向Ｆの＋側に移動することを規制する。
【００４７】
例えばスピンドルモータと側板４２との接触を回避させるべく、側板４２は、第１弾性ワイヤ３４ａと対向し、第１弾性ワイヤ３４ａの位置がホルダ３３を支持する位置に近づくにつれて、第３方向Ｔｎの−側に対し、第２方向Ｔｒの−側とされる光ディスクの外周側に向かって鋭角に傾けられている。
【００４８】
例えば、略円柱状のスピンドルモータと、保護カバー４０を構成する略平板状の一方の側板４２との接触を回避させるべく、保護カバー４０を構成する略平板状の上板４１が略平面板状となるように保護カバー４０が平面視されたときに、略平板状の他方の側板４３に対し、略平板状の一方の側板４２は、略円柱状のスピンドルモータとの干渉を避けて平面視略直線状となるように所定の角度で傾けられている。
【００４９】
また、側板４３は、第２弾性ワイヤ３４ｂと対向し、第２弾性ワイヤ３４ｂの位置がホルダ３３を支持する位置に近づくにつれて、第３方向Ｔｎの−側に対し、第２方向Ｔｒの＋側とされる光ディスクの内周側に向かって鋭角に傾けられている。
【００５０】
保護カバー４０を構成する略平板状の上板４１が略平面板状となるように保護カバー４０が平面視されたときに、略平板状の一方の側板４２と、略平板状の他方の側板４３とは、例えば略「ハ」字状又は略「八」字状に配設されている。
【００５１】
また、平面視された保護カバー４０は、例えば略山形をした台形状に形成されて、台形の下底の長さよりも台形の上底の長さが短く、且つ、台形の下底の長さと台形の高さの長さとが略等しい形状とされている。
【００５２】
光ピックアップ装置２０並びに光ピックアップ装置２０用の保護カバー４０が平面視されたときに、光ピックアップ装置２０並びに光ピックアップ装置２０用の保護カバー４０の第３方向Ｔｎに略沿って、光ピックアップ装置２０並びに光ピックアップ装置２０用の保護カバー４０の仮想直線状略中心線が光ピックアップ装置２０並びに光ピックアップ装置２０用の保護カバー４０に引かれたと仮定した場合に、平面視された保護カバー４０は、例えば略山形をした台形状に形成されて、略平板状の一方の側板４２及び略平板状の他方の側板４３は、仮想直線状略中心線に対して台形の上底の長さが短くなるように、共に平面視略直線状となるように所定の角度で傾けられている。
【００５３】
具体的には、側板４２は、トラッキング方向Ｔｒ（第２方向Ｔｒ）の＋側に位置する上板４１の辺Ｘが直線状に折り曲げられることで、辺Ｘからフォーカス方向Ｆ（第１方向Ｆ）の−側に向かって平板状に延在している。そして、側板４２は、第３方向Ｔｎの＋側の端部から−側の端部に向かう方向が、第３方向Ｔｎに対して、例えばトラッキング方向Ｔｒの−側にθ１の角度となるように鋭角に傾いている。尚、θ１は、側板４２のトラッキング方向Ｔｒの＋側の面とスピンドルモータとの接触が回避できると共に、側板４２のトラッキング方向Ｔｒの−側の面と第１弾性ワイヤ３４ａとの接触が回避できるように、例えば、側板４２と第１弾性ワイヤ３４ａとが所定間隔をもって略平行となる角度である。
【００５４】
この側板４２は、上板４１に対して略直交する方向に沿って折曲げ形成されて、第１弾性ワイヤ３４ａを露出する第２開口部４２ａと、基台３６に保護カバー４０を仮固定するための係止爪４２ｂ（係止部）とを有している。第２開口部４２ａは、辺Ｘの第３方向Ｔｎの＋側と−側との間を切り取るように、上板４１の第１開口部４１ａと連続して形成されている。尚、辺Ｘの第２開口部４２ａよりも第３方向Ｔｎの−側を辺Ｘ１と称する。また、辺Ｘの第２開口部４２ａよりも第３方向Ｔｎの＋側を辺Ｘ２と称する。側板４２に第２開口部４２ａを形成してから、辺Ｘを折り曲げることで、側板４２を形成するための加工を容易にすることができる。また、側板４２に第２開口部４２ａが形成されることで、ホルダ３３は、側板４２の厚みの分、トラッキング方向Ｔｒの＋側へ移動できる距離を増やすことができる。
【００５５】
係止爪４２ｂは、側板４２のフォーカス方向Ｆの−側において、トラッキング方向Ｔｒの−側へ突出している。この係止爪４２ｂは、保護カバー４０を基台３６に装着する際に、基台３６の対向面と反対側の面に接触し、側板４２と基台３６とを仮固定する。係止爪４２ｂと基台３６とを仮固定した後に、側板４２と基台３６とを接着剤等によって固定することで、光ピックアップ装置２０の組み立てを容易にできる。
【００５６】
側板４３は、第２弾性ワイヤ３４ｂと対向し、第２弾性ワイヤ３４ｂの位置がホルダ３３を支持する位置に近づくにつれて光ディスクの中心軸に近づいている。具体的には、側板４３は、トラッキング方向Ｔｒの−側に位置する上板４１の辺Ｙが直線状に折り曲げられることで、辺Ｙからフォーカス方向Ｆの−側に向かって平板状に延在している。そして、側板４３は、第３方向Ｔｎの＋側の端部から−側の端部に向かう方向が、第３方向Ｔｎに対して、例えばトラッキング方向Ｔｒの＋側にθ２の角度となるように鋭角に傾いている。尚、θ２は、例えば、側板４３のトラッキング方向Ｔｒの＋側の面と第２弾性ワイヤ３４ｂとが接触しないように、例えば、側板４３と第２弾性ワイヤ３４ｂとが所定間隔をもって略平行となる角度である。
【００５７】
この側板４３は、上板４１に対して略直交する方向に沿って折曲げ形成されて、辺Ｙの折り曲げ加工を容易にするための第３開口部４３ａと、基台３６に保護カバー４０を仮固定するための係止爪４３ｂとを有している。第３開口部４３ａは、辺Ｙの第３方向Ｔｎの＋側と−側との間を切り取るように、上板４１の第１開口部４１ａと連続して形成されている。尚、辺Ｙの第３開口部４３ａよりも第３方向Ｔｎの−側を辺Ｙ１と称する。また、辺Ｙの第３開口部４３ａよりも第３方向Ｔｎの＋側を辺Ｙ２と称する。
【００５８】
係止爪４３ｂは、側板４３のフォーカス方向Ｆの−側において、トラッキング方向Ｔｒの＋側へ突出している。この係止爪４３ｂは、保護カバー４０を基台３６に装着する際に、基台３６の対向面と反対側の面に接触し、側板４３と基台３６とを仮固定する。係止爪４３ｂと基台３６とを仮固定した後に、側板４３と基台３６とを接着剤等によって固定することで、光ピックアップ装置２０の組み立てを容易にできる。
【００５９】
この保護カバー４０では、辺Ｘ１、Ｘ２を介して連続する上板４１及び側板４２と、辺Ｙ１、Ｙ２を介して連続する上板４１及び側板４３とによって形成されている。このため、保護カバー４０を備える光ピックアップ装置２０に落下衝撃が加えられても、保護カバー４０の強度が向上されたことにより、保護カバー４０の塑性変形を防止することができる。また、ホルダ３３のフォーカス方向Ｆの＋側への移動（以下、単に移動と称する）を規制するための強度を高めることができる。
【００６０】
また、保護カバー４０では、側板４２、４３は夫々、第３方向Ｔｎの＋側から−側の位置に近づくにつれて、ホルダ３３に近づいている。このため、例えば側板４２、４３が第３方向Ｔｎに平行に形成される場合に比べて、ホルダ３３の上面の略四隅に接触する突片４１ｂと、上板４１の辺Ｘ、Ｙとの間の距離を近づけることができる。これによって保護カバー４０の強度が向上されるので、保護カバー４０を備える光ピックアップ装置２０に落下衝撃が加えられても、保護カバー４０の塑性変形を防止することができる。また、突片４１ｂによって、ホルダ３３の移動を規制するための強度を高めることができる。さらに、保護カバー４０では、例えば側板４２、４３が夫々、第３方向Ｔｎに平行に形成される場合に比べて、保護カバー４０における第３方向Ｔｎの−側のトラッキング方向Ｔｒの長さを短くすることができる。これによって保護カバー４０の強度を向上させることができ、保護カバー４０を備える光ピックアップ装置２０に落下衝撃が加えられても、保護カバー４０の塑性変形を防止することができる。また、ホルダ３３の移動を規制するための強度を高めることができる。
【００６１】
尚、例えば、光ピックアップ装置２０に外部から衝撃が加えられた場合、ホルダ３３の第３方向Ｔｎの−側は、ホルダ３３を支持する第１弾性ワイヤ３４ａ及び第２弾性ワイヤ３４ｂの支点となる基板３５からの距離が＋側よりも長い。このため、ホルダ３３の第３方向Ｔｎの−側は、＋側に比べて相対的に衝撃に応じて移動する距離が長くなる。しかし、保護カバー４０では、ホルダ３３の第３方向Ｔｎの−側の上面に接触する突片４１ｂについて、特に辺Ｘ１、Ｙ１との距離を近づけて、ホルダ３３の移動を規制するための強度を高めることができる。よって、保護カバー４０は、衝撃に応じた移動距離が長いホルダ３３の−側の移動を規制する突片４１ｂの強度を特に高めることができるため、保護カバー４０を備える光ピックアップ装置２０に落下衝撃が加えられても、保護カバー４０における第３方向Ｔｎの−側の突片４１ｂの塑性変形をより防止できる。また、より確実にホルダ３３の移動を規制できる。
【００６２】
===保護カバー同士の比較===
図５を参照して、図６の保護カバー１０と比較した本実施形態に係る保護カバー４０について説明する。
【００６３】
保護カバー４０は、側板４２の第３方向Ｔｎの＋側から−側に向かう方向が、第３方向Ｔｎに対して、第２方向Ｔｒとされるトラッキング方向Ｔｒの−側にθ１ほど鋭角に傾くことで、スピンドルモータと側板４２との接触を回避している。このため、図５に破線で示す保護カバー１０のように、側板１２ａにスピンドルモータを回避するための湾曲面ｒを形成する必要がない。これによって、保護カバー４０は、一枚の金属板を折り曲げて形成されるにもかかわらず、保護カバー１０のように、上板４１と側板４２との間に切欠１３を形成する必要がない。さらに、保護カバー４０は、側板４３の第３方向Ｔｎの＋側から−側に向かう方向が、第３方向Ｔｎに対して、第２方向Ｔｒとされるトラッキング方向Ｔｒの＋側にθ２ほど鋭角に傾いている。このため、辺Ｘ、Ｙ夫々に対して、より近接する位置に突片４１ｂを形成できる。よって、保護カバー４０は、ホルダ３３の移動を規制するための強度を高めることができる。
【００６４】
また、これによって、保護カバー４０を備える光ピックアップ装置２０に落下衝撃が加えられ、そのときに保護カバー４０に大きな力が加えられることにより保護カバー４０が変形することや、ホルダ３３との接触等によって保護カバー４０が変形することを防止できるため、光ピックアップ装置２０は、ホルダ３３のフォーカス制御やトラッキング制御をより確実に行うことができる。
【００６５】
また、保護カバー４０は、側板４２に湾曲面ｒを形成する必要がないため、保護カバー１０のようにトラッキング方向Ｔｒの長さを第３方向Ｔｎの両端で同一とする必要がない。このため、保護カバー４０は、保護カバー１０のＬ３で示される余分な第３方向Ｔｎの長さを確保する必要がない。さらに、側板４２、４３が夫々トラッキング方向Ｔｒに対して傾くことで、保護カバー４０は第３方向Ｔｎ−側の端部のトラッキング方向Ｔｒの長さを保護カバー１０よりも短くできる。具体的には、側板４２と側板１２ａの間の距離Ｌ４と、側板４３と側板１２ｂの間の距離Ｌ５との合計分、保護カバー４０のトラッキング方向Ｔｒの長さを保護カバー１０よりも短くできる。よって、保護カバー４０は、側板４２と第１弾性ワイヤ３４ａの間や、側板４３と第２弾性ワイヤ３４ｂの間等に形成される無駄なスペースを削減でき、保護カバー１０に比べて小型化できる。
【００６６】
尚、保護カバー４０の小型化に応じて、保護カバー４０が固定される基台３６も小型化できるため、光ピックアップ装置２０全体を小型化できる。
【００６７】
以上より、本実施形態に係る保護カバー４０は、少なくとも、基台３６と、第１対物レンズ２８ａ及び第２対物レンズ２８ｂと、第１対物レンズ２８ａ及び第２対物レンズ２８ｂを保持するホルダ３３と、ホルダ３３が基台３６から遊離した状態において第１方向Ｆとされるフォーカス方向Ｆ及び／又は第２方向Ｔｒとされるトラッキング方向Ｔｒ等に変位するように、トラッキング方向Ｔｒの＋側に位置するホルダ３３の第１側面側部を支持し、基台３６に対して略平行に延在する第１弾性ワイヤ３４ａと、ホルダ３３が基台３６から遊離した状態において第１方向Ｆとされるフォーカス方向Ｆ及び／又は第２方向Ｔｒとされるトラッキング方向Ｔｒ等に変位するように、トラッキング方向Ｔｒの−側に位置するホルダ３３の第２側面側部を支持し、基台３６に対して略平行に延在する第２弾性ワイヤ３４ｂと、を含む光ピックアップ装置２０用の保護カバー４０であって、一枚の金属板を折り曲げて形成される、光ディスクの情報記録面と対向する上板４１と、第１弾性ワイヤ３４ａと対向し、基台３６に固定される側板４２と、第２弾性ワイヤ３４ｂと対向し、基台３６に固定される側板４３と、を有し、上板４１は、第１対物レンズ２８ａ及び第２対物レンズ２８ｂが露出し、且つ、ホルダ３３がフォーカス方向Ｆの＋側へ移動することを規制する第１開口部４１ａを有し、側板４２は、第１弾性ワイヤ３４ａの位置がホルダ３３を支持する位置に近づくにつれて、第１方向Ｆ及び第２方向Ｔｒに対し直交する方向とされている第３方向Ｔｎの−側に対し、第２方向Ｔｒの−側とされる光ディスクの外周側に向かって鋭角に傾けられていればよい。
【００６８】
具体的には、略円柱状のスピンドルモータと、保護カバー４０を構成する略平板状の一方の側板４２との接触を回避させるべく、保護カバー４０を構成する略平板状の上板４１が略平面板状となるように保護カバー４０が平面視されたときに、略平板状の他方の側板４３に対し、略平板状の一方の側板４２は、略円柱状のスピンドルモータとの干渉を避けて平面視略直線状となるように所定の角度で傾けられていればよい。
【００６９】
また、側板４３は、第２弾性ワイヤ３４ｂと対向し、第２弾性ワイヤ３４ｂの位置がホルダ３３を支持する位置に近づくにつれて、第３方向Ｔｎの−側に対し、第２方向Ｔｒの＋側とされる光ディスクの内周側に向かって鋭角に傾けられていることが好ましい。
【００７０】
また、保護カバー４０を構成する略平板状の上板４１が略平面板状となるように保護カバー４０が平面視されたときに、略平板状の一方の側板４２と、略平板状の他方の側板４３とは、例えば略「ハ」字状又は略「八」字状に配設されていることが好ましい。
【００７１】
また、平面視された保護カバー４０は、例えば略山形をした台形状に形成されて、台形の下底の長さよりも台形の上底の長さが短く、且つ、台形の下底の長さと台形の高さの長さとが略等しい形状とされていることが好ましい。
【００７２】
また、光ピックアップ装置２０並びに光ピックアップ装置２０用の保護カバー４０が平面視されたときに、光ピックアップ装置２０並びに光ピックアップ装置２０用の保護カバー４０の第３方向Ｔｎに略沿って、光ピックアップ装置２０並びに光ピックアップ装置２０用の保護カバー４０の仮想直線状略中心線が光ピックアップ装置２０並びに光ピックアップ装置２０用の保護カバー４０に引かれたと仮定した場合に、平面視された保護カバー４０は、例えば略山形をした台形状に形成されて、略平板状の一方の側板４２及び略平板状の他方の側板４３は、仮想直線状略中心線に対して台形の上底の長さが短くなるように、共に平面視略直線状となるように所定の角度で傾けられていることが好ましい。
【００７３】
この保護カバー４０によれば、側板４２は、第１弾性ワイヤ３４ａの位置がホルダ３３を支持する位置に近づくにつれて、第３方向Ｔｎの−側に対し、第２方向Ｔｒの−側とされる光ディスクの外周側に向かって鋭角に傾けられている。これによって、上板４１の第１開口部４１ａを除く部分と、側板４２の第２開口部４２ａを除く部分とが連続するように、一枚の金属板を折り曲げて保護カバー４０を形成できる。このため、保護カバー４０を備える光ピックアップ装置２０に落下衝撃が加えられても、保護カバー４０の強度が向上されているので保護カバー４０の塑性変形を防止することができる。また、保護カバー４０は、フォーカス方向Ｆの＋側にホルダ３３が移動することを規制するのに十分な強度を確保できる。また、保護カバー４０は、ホルダ３３の移動を規制するのに十分な強度を確保できることで、ホルダ３３との接触等によって変形することを防止できる。これによって、光ピックアップ装置２０は、ホルダ３３のフォーカス制御やトラッキング制御をより確実に行うことができる。さらに、保護カバー４０は、側板４２と第１弾性ワイヤ３４ａの間に形成される無駄なスペースを削減できるため小型化が可能である。ひいては、光ピックアップ装置２０全体を小型化することが可能である。
【００７４】
また、この保護カバー４０によれば、側板４３は、第２弾性ワイヤ３４ｂと対向し、第２弾性ワイヤ３４ｂの位置がホルダ３３を支持する位置に近づくにつれて、第３方向Ｔｎの−側に対し、第２方向Ｔｒの＋側とされる光ディスクの内周側に向かって鋭角に傾けられる構造とされている。これによって、上板４１の第１開口部４１ａを除く部分と、側板４３の第３開口部４３ａを除く部分とが連続するように、一枚の金属板を折り曲げて保護カバー４０を形成できる。
【００７５】
このように、保護カバー４０を構成する略平板状の上板４１が略平面板状となるように保護カバー４０が平面視されたときに、略平板状の一方の側板４２と、略平板状の他方の側板４３とは、例えば略「ハ」字状又は略「八」字状に配設されているので、上記効果がより一層発揮される。
【００７６】
また、前述した保護カバー４０において、側板４２は、トラッキング方向Ｔｒの＋側に位置する上板４１の一方の辺Ｘを折り曲げて形成され、側板４３は、トラッキング方向Ｔｒの−側に位置する上板４１の他方の辺Ｙを折り曲げて形成されている。この保護カバー４０では、上板４１のトラッキング方向Ｔｒの両端の辺Ｘ、Ｙを折り曲げることによって形成される。このため、一枚の金属板を折り曲げて保護カバー４０を形成する加工を容易にできる。
【００７７】
また、前述した保護カバー４０において、側板４２は、トラッキング方向Ｔｒの＋側に位置する上板４１の辺Ｘを直線状に折り曲げて形成されている。この保護カバー４０では、辺Ｘを直線状に折り曲げることによって側板４２が形成される。このため、一枚の金属板を折り曲げて保護カバー４０を形成する加工を容易にできる。
【００７８】
また、前述した保護カバー４０において、側板４２は、第１弾性ワイヤ３４ａが露出する第２開口部４２ａを有している。この保護カバー４０では、側板４２に第２開口部４２ａが形成されることで、辺Ｘの折り曲げ加工を容易にできるため、保護カバー４０をより容易に形成できる。
【００７９】
また、前述した保護カバー４０において、第１開口部４１ａ及び第２開口部４２ａは、連続して形成されている。この保護カバー４０では、連続する第１開口部４１ａ及び第２開口部４２ａによって、辺Ｘの折り曲げ加工をより容易にできるため、保護カバー４０をより容易に形成できる。
【００８０】
また、前述した保護カバー４０において、第１開口部４１ａは、第１開口部４１ａの内側に向かって突片４１ｂが突出する形状を呈し、突片４１ｂが突出する位置で、ホルダ３３が第１方向Ｆとされるフォーカス方向Ｆの＋側へ移動することを規制している。この保護カバー４０は、ストッパとされる突片４１ｂがホルダ３３の上面に接触するため、ホルダ３３の移動をより確実に規制できる。尚、保護カバー４０では、側板４２、４３は夫々、第３方向Ｔｎの＋側から−側の位置に近づくにつれてホルダ３３に近づく。このため、辺Ｘ、Ｙ夫々に近接した位置に突片４１ｂを形成することができる。これによって、保護カバー４０を備える光ピックアップ装置２０に落下衝撃が加えられても、保護カバー４０の強度が向上されているので保護カバー４０の塑性変形を防止することができる。また、突片４１ｂは、ホルダ３３の移動を規制するための強度を高めることができ、ホルダ３３との接触によって変形することを防止できる。突片４１ｂの変形を防止できることで、ホルダ３３が突片４１ｂを越えてフォーカス方向Ｆの＋側に移動し、ストッパとして機能する突片４１ｂに、光ピックアップ装置２０のアクチュエータの可動部を構成するホルダ３３が引っかかってしまうこと等を防止できる。このため、光ピックアップ装置２０は、ホルダ３３のフォーカス制御やトラッキング制御をより確実に行うことができる。
【００８１】
また、この保護カバー４０によれば、保護カバー４０を構成する略平板状の上板４１が略平面板状となるように保護カバー４０が平面視されたときに、略平板状の他方の側板４３に対し、略平板状の一方の側板４２が略円柱状のスピンドルモータとの干渉を避けるように平面視略直線状となるように所定の角度で傾けられて形成された構造とされている。保護カバー４０を構成する略平板状の上板４１が略平面板状となるように保護カバー４０が平面視されたときに、略平板状の一方の側板４２と、略平板状の他方の側板４３とは、例えば略「ハ」字状又は略「八」字状の配設構造とされている。平面視された保護カバー４０は、例えば略山形をした台形状に形成されて、台形の下底の長さよりも台形の上底の長さが短く、且つ、台形の下底の長さと台形の高さの長さとが略等しい形状とされている。具体的に説明すると、光ピックアップ装置２０並びに光ピックアップ装置２０用の保護カバー４０が平面視されたときに、光ピックアップ装置２０並びに光ピックアップ装置２０用の保護カバー４０の第３方向Ｔｎに略沿って、光ピックアップ装置２０並びに光ピックアップ装置２０用の保護カバー４０の仮想直線状略中心線が光ピックアップ装置２０並びに光ピックアップ装置２０用の保護カバー４０に引かれたと仮定した場合に、平面視された保護カバー４０は、例えば略山形をした台形状に形成されて、略平板状の一方の側板４２及び略平板状の他方の側板４３は、仮想直線状略中心線に対して台形の上底の長さが短くなるように、共に平面視略直線状となるように所定の角度で傾けられている。
【００８２】
これによって、強度を高めると共に小型化が可能な保護カバー４０及び光ピックアップ装置２０を提供できる。光ピックアップ装置２０の保護カバー４０を構成する突片４１ｂの変形を防止できることで、ホルダ３３が突片４１ｂを越えてフォーカス方向Ｆの＋側に移動し、ストッパとして機能する突片４１ｂに、光ピックアップ装置２０のアクチュエータの可動部を構成するホルダ３３が引っかかってしまうこと等を防止できる。また、略円柱状のスピンドルモータと、保護カバー４０を構成する略平板状の一方の側板４２との接触を回避させることができる。
【００８３】
===その他の実施形態===
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００８４】
前述した保護カバー４０では、側板４２は、第１弾性ワイヤ３４ａと対向し、第１弾性ワイヤ３４ａの位置がホルダ３３を支持する位置に近づくにつれて、第３方向Ｔｎの−側に対し、第２方向Ｔｒの−側とされる光ディスクの外周側に向かって鋭角に傾けられることとしたが、例えば、側板４２は、第１弾性ワイヤ３４ａと対向し、第１弾性ワイヤ３４ａの位置がホルダ３３を支持する位置に近づくにつれて光ディスクの中心軸から遠ざかるように形成されてもよい。
【００８５】
また、前述した保護カバー４０では、第１開口部４１ａは、ホルダ３３の上面の略四隅に接触する突片４１ｂが第１開口部４１ａの内側に向かって突出する形状を呈していることとした。しかし、特にこれに限定されるものではない。例えば、第１開口部４１ａは、突片４１ｂを備えず、トラッキング方向Ｔｒに沿った両側の辺がホルダ３３の上面に接触することで、ホルダ３３の移動を規制してもよい。また、第１開口部４１ａは、突片４１ｂに加えて、ホルダ３３の上面の略四隅以外に接触する突片が突出する形状を呈していてもよい。
【００８６】
また、前述した光ピックアップ装置２０では、ホルダ３３は、第１及び第２光ディスクにレーザ光を集光する第１対物レンズ２８ａと、第３光ディスクにレーザ光を集光する第２対物レンズ２８ｂとを、例えば光ディスクの半径方向ここではトラッキング方向Ｔｒに略沿って並んだ状態で保持することとしたが、特にこれに限定されるものではない。例えば、ホルダ３３は、第１及び第２光ディスクにレーザ光を集光する第１対物レンズ２８ａと、第３光ディスクにレーザ光を集光する第２対物レンズ２８ｂとを、光ディスクのタンジェンシャル方向Ｔｎに略沿って並んだ状態で保持していてもよい。また、光ピックアップ装置２０は、第３光ディスク用の光学系を備えず、ホルダ３３は、対物レンズとして第１対物レンズ２８ａのみを保持していてもよい。また、光ピックアップ装置２０は、第１及び第２光ディスク用の光学系を備えず、ホルダ３３は、対物レンズとして第２対物レンズ２８ｂのみを保持していてもよい。また、光ピックアップ装置２０は、第１、第２及び第３光ディスク用の光学系を備え、ホルダ３３は、第１、第２及び第３光ディスク用の光学系に対応し、赤外波長帯のレーザ光Ｌ１ａ、赤色波長帯のレーザ光Ｌ１ｂ及び青紫色波長帯のレーザ光Ｌ１ｃの三種類のレーザ光Ｌ１ａ、Ｌ１ｂ、Ｌ１ｃに対応した一つの対物レンズ（不図示）を保持していてもよい。
【符号の説明】
【００８７】
１，２０…光ピックアップ装置、２，３６…基台、３…対物レンズ、４，３３…ホルダ、５ａ，５ｂ…弾性ワイヤ、６，３５…基板、１０，４０…保護カバー、１１，４１…上板、１１ａ…開口部、１１ｂ，４１ｂ…突片、１２ａ，１２ｂ，４２，４３…側板、１３…切欠、２１ａ…第１レーザ光源、２１ｂ…第２レーザ光源、２１ｃ…第３レーザ光源、２２…カップリングレンズ、２３ａ…第１回折格子、２３ｂ…第２回折格子、２３ｃ…第３回折格子、２４…ダイクロイックプリズム、２５…平板ビームスプリッタ、２６ａ…第１コリメータレンズ、２６ｂ…第２コリメータレンズ、２７ａ…第１立上ミラー、２７ｂ…第２立上ミラー、２８ａ…第１対物レンズ、２８ｂ…第２対物レンズ、２９ａ…第１センサレンズ、２９ｂ…第２センサレンズ、３０ａ…第１光検出器、３０ｂ…第２光検出器、３１…ビームスプリッタ、３２…液晶収差補正素子、３４ａ…第１弾性ワイヤ、３４ｂ…第２弾性ワイヤ、３７…マグネット、４１ａ…第１開口部、４２ａ…第２開口部、４２ｂ，４３ｂ…係止爪、４３ａ…第３開口部、Ｆ…フォーカス方向、Ｌ１，Ｌ２，Ｌ３…長さ、Ｌ１ａ，Ｌ１ｂ，Ｌ１ｃ，Ｌ２ａ，Ｌ２ｂ，Ｌ２ｃ…レーザ光、Ｌ４，Ｌ５…距離、Ｔｎ…タンジェンシャル方向、Ｔｒ…トラッキング方向、Ｘ，Ｘ１，Ｘ２，Ｙ，Ｙ１，Ｙ２…辺
【図１】
2014013630.tif 000003
【図２】
2014013630.tif 000004
【図３】
2014013630.tif 000005
【図４】
2014013630.tif 000006
【図５】
2014013630.tif 000007
【図６】
2014013630.tif 000008